(57)【要約】【課題】一次元方向のみに対する勾配を測定可能な水準器を用いて、ほぼ鉛直方向を向く測定対象面の二次元方向の勾配を測定可能にする。【解決手段】水準器は、ケーシング１０の端面１３から突出するタブ２０を備え、ケーシング１０は、端面１３から延伸して天面１４へと貫通する第１の凹部１６と、底面１１から延伸して側面１２へと貫通する第２の凹部１７を有する。タブ２０と凹部１６、１７は補完形状をなしており、またタブ２０の突出方向、凹部１６、１７の延伸方向は、互いに直交している。この水準器を３つ準備し、そのうち１つの各凹部１６、１７に、他の２つのタブ２０をそれぞれはめ込むことで、三次元方向に連結する。長手方向が上下方向を向いた水準器の底面１１を、測定の基準面として、ほぼ鉛直方向を向く測定対象面に当接させると、他の２つの水準器はそれぞれ長手方向が前後方向および左右方向を向く。この２つの水準器に対して、測定対象面の二次元方向の勾配が反映される。【選択図】図１
2018205266.tif 000002
【特許請求の範囲】
【請求項１】
測定対象面の一次元方向に対する勾配を測定して表示可能な測定表示部と、
底面、周面および天面を有して、前記測定表示部を保持し、その底面が前記勾配を測定する際の基準面となるケーシングと、
前記ケーシングの周面から突出し、その下面が前記ケーシングの底面と同一平面をなすタブと、を備え、
前記ケーシングは、
前記周面から前記タブの突出方向に対して垂直な方向に延伸して前記天面へと貫通し、かつ前記タブと補完形状をなす第１の凹部と、
前記底面から前記タブの突出方向および前記第１の凹部の延伸方向のいずれに対しても垂直な方向に延伸して前記周面へと貫通し、かつ前記タブと補完形状をなす第２の凹部と、を有する水準器。
【請求項２】
前記ケーシングは長手方向を有し、
前記測定表示部は、前記ケーシングの長手方向の中央部に保持されており、
前記タブは、前記ケーシングの長手方向の両端部のうち一端部に位置し、かつ前記ケーシングの長手方向に突出し、
前記第１の凹部は、前記ケーシングの長手方向の両端部のうち一端部であって前記タブの上方に位置し、
前記第２の凹部は、前記ケーシングの長手方向の両端部のうち他端部に位置する請求項１に記載の水準器。
【請求項３】
前記ケーシングの第１の凹部および第２の凹部は、その窪みの底から突出する柱状の突起を有し、
前記タブは、前記突起と補完形状をなす係合穴を有する請求項１または２に記載の水準器。
【請求項４】
前記ケーシングの第１の凹部および第２の凹部の突起は、それぞれ凹部の延伸方向に形状または寸法の異なるものが並列して複数設けられており、
前記タブの係合穴は、前記複数の突起に一対一に対応して補完形状をなすように、形状または寸法の異なるものがタブの突出方向に並列して複数設けられている請求項３に記載の水準器。
【請求項５】
前記測定表示部は、
中空円柱形で、その軸心が前記ケーシングの底面と平行な管体と、
前記管体に充填された液体と、
前記液体内を浮遊する気泡と、を有する気泡管である、請求項１から４のいずれかに記載の水準器。
【請求項６】
前記ケーシングに内蔵される磁石をさらに備え、
前記ケーシングの底面は、前記測定対象面に対し磁力の作用で吸着可能である、請求項１から５のいずれかに記載の水準器。
【発明の詳細な説明】
【技術分野】
【０００１】
本発明は、水準器に関する。
【背景技術】
【０００２】
測定対象面の勾配を測定し表示する水準器として、二次元方向の勾配ではなく、一次元方向のみに対する勾配を測定可能な、いわゆる一軸型の水準器が知られている。
一軸型の水準器は一般に、気泡式または指針式の測定表示部を備えており、気泡式については、気泡分を残して液体が充填された円柱形の気泡管が、指針式については、先端とは逆側に重りが付けられた指針が、勾配を測定して表示する機能を担う。
すなわち、一軸型の水準器において、測定の基準面となる底面を、測定対象面に当接させた際に、気泡管の気泡や指針の先端が、浮力ないし重力の作用により傾斜方向の上流側へと移動するため、これを視認することで勾配が測定できるというものである。
【０００３】
このような一軸型の水準器は、測定対象面の前後方向の勾配を測定する際には、左右方向の勾配が測定できず、左右方向の勾配を測定する際には、前後方向の勾配を測定できず、前後左右方向(二次元方向)の全体的な勾配の状態を把握できない欠点がある。
そこで、特許文献１のように、一軸型の水準器２つを、その長手方向が直交するように平面視でＬ字型に連結して、一方の水準器で測定対象面の前後方向の勾配を、他方の水準器で測定対象面の左右方向の勾配を、同時に測定しようとする試みもなされている。
【先行技術文献】
【特許文献】
【０００４】
【特許文献１】特開２００１−３３２３９号公報
【発明の概要】
【発明が解決しようとする課題】
【０００５】
特許文献１の水準器の場合、測定対象面がほぼ水平方向を向く面である場合には、Ｌ字型に連結した２つの水準器の、測定の基準面となる底面をともに当接させることで、前後左右方向の勾配を同時に測定可能である。
しかし、測定対象面がほぼ鉛直方向を向く面である場合には、一方の水準器の測定方向が測定対象面の前後方向または左右方向と一致するように、連結した水準器の底面を当接させると、他方の水準器の測定方向が自ずと測定対象面の上下方向、すなわち浮力方向ないし重力方向と一致してしまう。
このため、その他方の水準器の測定表示部は、気泡式の場合はその気泡が上昇しきってしまい、また指針式の場合はその指針が振り切れてしまい、いずれにせよ勾配測定の用をなさなくなってしまう。
したがって、ほぼ鉛直方向を向く測定対象面については、実質的には一方の水準器のみが機能し、一次元方向の勾配を測定することしかできなくなってしまう問題がある。
【０００６】
そこで、本発明の解決すべき課題は、一次元方向のみに対する勾配を測定可能な水準器を用いて、ほぼ鉛直方向を向く測定対象面の二次元方向の勾配を測定可能にすることである。
【課題を解決するための手段】
【０００７】
上記した課題を解決するため、発明にかかる水準器を、測定対象面の一次元方向に対する勾配を測定して表示可能な測定表示部と、底面、周面および天面を有して、前記測定表示部を保持し、その底面が前記勾配を測定する際の基準面となるケーシングと、前記ケーシングの周面から突出し、その下面が前記ケーシングの底面と同一平面をなすタブと、を備えるものとしたのである。
そして、前記ケーシングは、前記周面から前記タブの突出方向に対して垂直な方向に延伸して前記天面へと貫通し、かつ前記タブと補完形状をなす第１の凹部と、前記底面から前記タブの突出方向および前記第１の凹部の延伸方向のいずれに対しても垂直な方向に延伸して前記周面へと貫通し、かつ前記タブと補完形状をなす第２の凹部と、を有するものとしたのである。
【０００８】
発明にかかる水準器を以上のように構成すると、この水準器を３つ準備し、そのうち１つの水準器の第１の凹部および第２の凹部に、他の２つの水準器のタブをそれぞれはめ込むことで、３つの水準器を、三次元方向、すなわち前後方向、左右方向および上下方向に向いた状態で連結することが可能となる。
そして、上下方向を向いた水準器の底面を、測定の基準面としてほぼ鉛直方向を向く測定対象面に当接させることで、他の２つの水準器がほぼ水平方向を向くことになる。水準器間の位置関係は互いに直交した状態のまま不変であるため、ほぼ水平方向を向いた２つの水準器に対して、測定対象面の二次元方向の勾配が反映されることになる。
したがって、ほぼ鉛直方向を向く測定対象面の二次元方向の勾配を同時に測定することが可能となる。
【０００９】
発明にかかる水準器において、前記ケーシングは長手方向を有し、前記測定表示部は、前記ケーシングの長手方向の中央部に保持されており、前記タブは、前記ケーシングの長手方向の両端部のうち一端部に位置し、かつ前記ケーシングの長手方向に突出し、前記第１の凹部は、前記ケーシングの長手方向の両端部のうち一端部であって前記タブの上方に位置し、前記第２の凹部は、前記ケーシングの長手方向の両端部のうち他端部に位置するのが好ましい。
【００１０】
このようにタブや凹部をケーシングの長手方向の端部に設けると、水準器同士を連結する際に、ケーシング同士が干渉しにくくなるため、連結作業を円滑に行うことができる。また、水準器の測定表示部が他の水準器のケーシングと重なりにくくなり、測定表示部の視認に支障をきたすことが抑制される。
【００１１】
発明にかかる水準器において、前記ケーシングの第１の凹部および第２の凹部は、その窪みの底から突出する柱状の突起を有し、前記タブは、前記突起と補完形状をなす係合穴を有するのが好ましい。
【００１２】
このようにタブと凹部に補完形状をなす係合穴および突起を設けると、水準器を連結する際には、凹部とタブのはまり合いに加えて、凹部の突起とタブの係合穴とがはまり合うことで、連結状態がより強固なものとなる。
特に、ほぼ鉛直方向を向く測定対象面の測定時には、宙に浮いた状態となる、ほぼ水平方向を向く２つの水準器が、重力の作用により傾きそうになると、タブの係合穴の孔の内周に凹部の突起の外周が押し付けられ、自動的に疑似的な締まり嵌め状態となるため、突起と係合穴がない場合に比べて、連結強度が飛躍的に向上する。
【００１３】
発明にかかる水準器において、前記ケーシングの第１の凹部および第２の凹部の突起は、それぞれ凹部の延伸方向に形状または寸法の異なるものが並列して複数設けられており、前記タブの係合穴は、前記複数の突起に一対一に対応して補完形状をなすように、形状または寸法の異なるものがタブの突出方向に並列して複数設けられているのがより好まし。
【００１４】
このように、突起とタブを複数設けると、凹部の複数の突起とタブの複数の係合穴とのはまり合いにより、水準器同士の連結が一層強固なものとなる。
また、凹部の各突起とタブの各係合穴とは、一対一に対応して他の突起やタブとはまり合えないようになっているため、ずれた位置で突起とタブがはまり合い、水準器同士の連結状態や勾配の測定状態に支障をきたす事態が防止される。
【００１５】
発明にかかる水準器において、前記測定表示部は、中空円柱形で、その軸心が前記ケーシングの底面と平行な管体と、前記管体に充填された液体と、前記液体内を浮遊する気泡と、を有する気泡管とすることができる。
【００１６】
このように、測定表示部を気泡管で構成すると、気泡管の外周に沿ってほぼ全方位から勾配を確認することができるため、複数の水準器を連結した際に、特定の方向からはケーシングが邪魔になって測定表示部を視認できないような場合にも、他の方向から勾配を確認することができ、測定に支障が生じない。
また、指針式等と比較して、安価で衝撃にも強く、水準器全体の小型化も図ることができる。
【００１７】
発明にかかる水準器において、前記ケーシングに内蔵される磁石をさらに備え、前記ケーシングの底面は、前記測定対象面に対し磁力の作用で吸着可能とすることができる。
【００１８】
このようにすると、水準器を測定対象面に対して位置決めすることができるため、ほぼ鉛直方向を向く測定対象面を測定するような場合にも、複雑に連結されて持ちにくい水準器を下から受け支える必要がなく、測定作業を円滑におこなうことができる。
【発明の効果】
【００１９】
発明にかかる水準器を以上のように構成したので、凹部とタブとのはめ合せにより、その水準器を３つ連結することで、ほぼ鉛直方向を向く測定対象面の二次元方向の勾配を同時に測定可能となった。
【図面の簡単な説明】
【００２０】
【図１】実施形態の水準器１の（ａ）および（ｂ）は上方より見た斜視図、（ｃ）は下方からみた斜視図
【図２】実施形態の水準器１の（ａ）および（ｂ）は側面図、（ｃ）は断面図
【図３】実施形態の水準器１の（ａ）は天面図、（ｂ）は底面図、（ｃ）は端面図
【図４】実施形態の水準器１の使用状態を示す斜視図
【発明を実施するための形態】
【００２１】
以下、図面を参照しつつ本発明の実施形態について説明する。
図１から図３のように、実施形態の水準器１は、ケーシング１０と、タブ２０と、測定表示部としての気泡管３０とを有する、いわゆる一軸型の水準器であって、この水準器１を３つ連結することで、器物の側面等、ほぼ鉛直方向を向く測定対象面Ｓの二次元方向の勾配を測定可能なものとなっている。
【００２２】
図１から図３のように、ケーシング１０は、矩形の底面１１、底面１１から左右一対に立ち上がるそれぞれ矩形の側面１２、底面１１から前後一対に立ち上がるそれぞれ矩形の端面１３、およびアーチ形の天面１４を有する。ここで、左右一対の側面１２および前後一対の端面１３が、ケーシング１０の周面を構成する。
ケーシング１０の寸法は特に限定されないが、たとえば、比較的小型の水準器として、幅が１４〜２０ｍｍ、長さが４０〜５５ｍｍ、高さが１７〜２３ｍｍであることが例示できる。この程度の大きさであれば、水準器１を複数連結した場合にも、その連結体を手で取り扱いやすい寸法に収まり、また気泡管３０として、極端に小さなものではなく視認の容易な寸法のものをケーシング１０に搭載することができる。
【００２３】
ケーシング１０の底面１１は、勾配を測定する際の基準面となり、通常は測定対象面Ｓに当接される。底面１１はほぼ平坦に形成されており、その長手方向（一対の端面１３間を結ぶ方向）に連続する溝１１ａが、幅方向に三つ並列して設けられている。
測定対象面Ｓに微小な凹凸が存在する場合、その凸部が溝１１ａに入り込むことで凸部と底面１１との干渉が防止される。したがって、底面１１の溝１１ａが、勾配測定時における微小な凹凸の影響を排除し、水準器１の測定精度を向上させることができる。
ケーシング１０の天面１４は、アーチ形に湾曲しており、この天面１４から左右の側面１２にかけて窓１５が設けられている。
また、ケーシング１０には、図示省略の磁石が窪みへのはめ込み等の適宜手段により内蔵されている。
ケーシング１０の材質は特に限定されないが、合成樹脂製、金属製であることが例示できる。ケーシング１０は、たとえば射出成形により形成された左右のケーシング半体同士を嵌合させることにより、作製することができる。
【００２４】
図１から図３のように、タブ２０は、ケーシング１０の前後一対の端面１３のうち、一方の端面１３の下部から突出している。このタブ２０の突出方向とケーシング１０の長手方向とは、一致している。
タブ２０の下面（裏面）とケーシング１０の底面１１とは、同一平面を構成する。
タブ２０の材質は特に限定されないが、合成樹脂製、金属製であることが例示でき、ケーシング１０と同じ材質でもよいし、異なる材質でもよい。また、タブ２０は、ケーシング１０と一体に形成してもよいし、別体に形成したものを連結してもよい。
たとえばタブ２０をケーシング１０と一体に射出成形することで、水準器１の製造が容易となる。また、タブ２０をケーシング１０と別体に形成し、そのタブ２０を金属製とし、ケーシング１０を樹脂製とすることで、水準器１全体の重量増加を防ぎつつ、タブ２０の耐摩耗性を向上させることができる。
【００２５】
タブ２０の幅、長さおよび厚みは、ケーシング１０の幅（一対の側面間の距離）、長さ（一対の端面間の距離）および高さ（底面と天面間の距離）よりも、充分に小さく、たとえば、幅についてはケーシング１０の１／４以上１／２以下、長さについてはケーシング１０の１／６以上１／３以下、厚みについてはケーシング１０の１／８以上１／４以下となっている。この程度の大きさであれば、タブ２０が大きすぎて水準器１全体が大型化することが防がれ、またタブ２０が小さすぎて強度が不足したり連結作業に支障をきたしたりすることもない。
また、タブ２０の幅は、最先端を除いて、ケーシング１０との連結端から先端に向けて漸増しており、最先端においては、タブ２０が丸みを帯びることでその幅が急減している。
タブ２０は、その厚み方向（表裏面方向）に貫通する円形の係合穴２１を二つ有している。係合穴２１は、タブ２０の突出方向に並列しており、かつその径は、タブ２０の先端に近い側の穴がケーシング１０との連結端に近い側の穴よりも大きくなっている。
タブ２０の下面の先端近傍は、係合穴２１と連続する切欠き部２２となっている。
【００２６】
図１から図３のように、ケーシング１０の前後一対の端面１３のうち、タブ２０が連設される側の端面１３には、第１の凹部１６が設けられている。第１の凹部１６は、端面１３の上部に設けられ、同じ端面１３の下部から突出するタブ２０とは、上下方向に並列しかつ離間している。
第１の凹部１６は、ケーシング１０の端面１３の中央部から、上方（ケーシング１０の底面１１から天面１４に向かう方向）に延伸して、天面１４へと貫通している。天面１４への貫通箇所には、矩形の開口１４ａが形成されており、開口１４ａの周縁は面取りが施されている。
【００２７】
また、ケーシング１０の底面１１には、第２の凹部１７が設けられている。
第２の凹部１７は、底面１１上において、前記第１の凹部１６が設けられた端面１３と逆側の端面１３に近接し、かつその端面１３と平行に延伸して、左右一対の側面１２のうち一方の側面１２へと貫通している。側面１２への貫通箇所には、矩形の開口１２ａが形成されており、この開口１２ａの周縁は面取りが施されている。
底面１１の溝１１ａは、第２の凹部１７が延伸する箇所には設けられておらず、第２の凹部１７と溝１１ａとは、連通していない。
【００２８】
第１の凹部１６の延伸方向、第２の凹部１７の延伸方向、およびタブ２０の突出方向は、互いに直交している。
第１の凹部１６および第２の凹部１７は、その窪みの底から突出する円柱形の突起１６ａ、１７ａをそれぞれ２つ有している。突起１６ａ、１７ａは、第１の凹部１６および第２の凹部１７の延伸方向に並列しており、かつその径は、開口１２ａ、１４ａに近い側の突起が、凹部１６，１７の開口とは逆側の終端部（突き当り箇所）に近い側の突起よりも小さくなっている。また、突起１６ａ、１７ａの突出高さと、第１の凹部１６および第２の凹部１７の窪みの深さとはほぼ等しい、すなわち、第１の凹部１６の突起１６ａの先端部は、端面１３と同一平面を構成し、第２の凹部１７の突起１７ａの先端部は、底面１１と同一平面を構成する。
第１の凹部１６および第２の凹部１７は、同形同寸法であって、その幅は、タブ２０の幅と等しく、その深さは、タブ２０の厚みと等しく、その長さも、タブ２０の長さと等しい。また、凹部１６、１７の突起１６ａ、１７ａの径は、タブ２０の係合穴２１の径と等しい。つまり、凹部１６、１７の形状は、タブ２０と凹凸が反転した補完形状となっている。
【００２９】
このことから、実施形態の水準器１を複数個用意して、一の水準器のタブ２０を他の水準器の第１の凹部１６または第２の凹部１７にはめ込むことで、互いに連結することが可能となっている。補完形状をなすタブ２０と凹部１６、１７とは隙間なくはまり合い、はまり合った状態で、タブ２０の下面と、第１の凹部１６が形成されたケーシング１０の端面１３、および第２の凹部１７が形成されたケーシング１０の底面１１とは、同一平面を構成する。
はめ込み作業の際には、開口１２ａ、１４ａの周縁は面取りされているため、タブ２０が開口縁に干渉することが防止されている。また、凹部１６、１７は、開口１２ａ、１４ａに向けて幅が狭まっており、タブ２０もこれに対応した形状となっているため、タブ２０は、（タブ２０の係合穴２１や凹部１６、１７の突起１６ａ、１７ａが存在しない場合でも）開口１２ａ、１４ａの側に向けて抜き取り不能となっている。
【００３０】
図１から図３のように、測定表示部としての気泡管３０は、中空円柱形の管体３１と、管体３１内に充填された水等の液体３２と、液体３２内を浮遊する気泡３３と、からなる。
気泡管３０は、その管体３１の軸心がケーシング１０の長手方向と一致するように、ケーシング１０に保持されている。管体３１の軸心とケーシング１０の底面１１とは、平行になっている。気泡管３０は、両端部および下部を除く大部分が、ケーシング１０の窓１５を通じて露出しており、外部から視認可能となっている。
透明の管体３１には、その軸心方向に並列する標線３１ａが付されている。各標線３１ａは、管体３１の全周にわたって円環形をなしている。標線３１ａは、ケーシング１０の一方の端面１３の側に偏って２つが近接して、他方の端面１３の側に偏って２つが近接して、計４つが設けられている。
管体３１の材質は特に限定されないが、ガラス製、透明の合成樹脂製であることが例示できる。管体３１は、たとえば円筒体の両端を円板で閉塞することにより作製することができる。液体３２は、気泡３３の視認性を高めるために、色付けされていてもよい。
【００３１】
実施形態の水準器１の構成は以上のようであり、いまこれを単体で用いる場合には、そのまま、測定の基準面となるケーシング１０の底面１１を鉄板等からなる測定対象面Ｓに当接させる。ケーシング１０に内蔵された磁石の作用で、底面１１は測定対象面Ｓに吸着し、水準器１は位置決めされる。
この状態で、気泡管３０内の気泡３３は、浮力の作用により管体３１の軸心に沿って、測定基準面Ｓの傾斜方向の上流側へと移動する。
管体３１に付された標線３１ａと気泡３３との相対的な位置関係を視認することで、測定対象面Ｓの勾配を確認することができる。
気泡管３０内の気泡３３が、４つの標線３１ａのうちの、内側の２つの標線３１ａの間に位置している場合、測定対象面Ｓはほぼ勾配が存在しないことを意味する。
また、気泡３３が、外側の２つの標線３１ａよりも管体３１の端部寄りに位置している場合、測定対象面Ｓに大きな勾配があることを意味し、ほぼ標線３１ａ上に位置している場合、測定対象面Ｓに小さな勾配があることを意味する。
これにより、実施形態の水準器１は、測定対象面Ｓの一次元方向の勾配を測定可能となっている。
【００３２】
つぎに、ほぼ水平方向を向く測定対象面の二次元方向の勾配を測定したい場合には、実施形態の水準器１を２つ準備し、その一方の水準器１の第２の凹部１７に他方の水準器１のタブ２０をはめ込み、両水準器１がその長手方向（気泡管３０の軸心方向）が直交するように、平面視でＬ字型に連結する。
この状態で、２つの水準器１の、測定の基準面となるケーシング１０の底面１１をともに鉄板等からなる測定対象面Ｓに当接させ、磁石の作用で位置決めすると、一方の水準器１で測定対象面Ｓの前後方向の勾配を、他方の水準器１で左右方向の勾配を、同時に測定することができる。
【００３３】
さらに、図４のように、ほぼ鉛直方向を向く測定対象面Ｓの二次元方向の勾配を測定したい場合には、実施形態の水準器１を３つ準備し、その１つの水準器１の第１の凹部１６および第２の凹部１７に、他の２つの水準器１のタブ２０をはめ込み連結する。
３つの水準器１は、それぞれその長手方向が、上下方向、前後方向および左右方向を向いて、互いに直交した状態に連結される。
こうして連結された水準器１のうち、長手方向が上下方向を向く水準器１のケーシング１０の底面１１を、測定する際の基準面として鉄板等からなる測定対象面Ｓに当接させる。磁石の作用により、ほぼ鉛直方向を向く測定対象面Ｓに対して水準器１が位置決めされるため、この水準器１を手で下から受け支える等する必要はない。
このとき、長手方向が前後方向を向く水準器１や左右方向を向く水準器１は、ほぼ水平な状態に維持されることになる。
長手方向が前後方向を向く水準器１には、測定対象面Ｓの前後方向の勾配が反映される。また、長手方向が上下方向を向く水準器１の気泡管３０の気泡３３は、端部に昇り切ってしまうため（図４参照）、測定の用をなさないが、この水準器１と直交して長手方向が左右方向を向く水準器１には、測定対象面Ｓの上下方向の勾配が反映される。
このため、ほぼ鉛直方向を向く測定対象面の、二次元方向の勾配を同時に測定することが可能となる。
なお、図４では、測定対象面Ｓは上下前後方向に広がる平面となっているが、測定対象面Ｓが上下左右方向に広がる平面である場合についても、同様に勾配を測定可能である。この場合、長手方向が左右方向を向く水準器１に、測定対象面Ｓの左右方向の勾配が反映され、長手方向が前後方向を向く水準器１に、測定対象面Ｓの上下方向の勾配が反映されることになる。
【００３４】
測定が終了すると、水準器１の凹部１６、１７から他の水準器１のタブ２０を抜き取って連結を解除する。タブ２０の切欠き部２２に指先を入れたり、タブ２０をその切欠き部２２と凹部１６、１７の底との間に形成される隙間分だけ傾けたりすることで、連結の解除作業は円滑に行われる。
【００３５】
タブ２０や凹部１６、１７は、水準器１の長手方向の端部に設けられているため、水準器同士を連結および連結解除する際に、ケーシング１０同士が干渉しにくく、連結作業および連結解除作業が円滑におこなわれる。
タブ２０や凹部１６、１７の上記のような位置関係に加えて、気泡管３０は水準器１の長手方向の中央部に設けられているため、気泡管３０に他の水準器１のケーシング１０が重なり合うことが防止されている。このため気泡管３０を目視で確認する際に、他の水準器１のケーシング１０が邪魔になることはない。
水準器同士を連結する際には、タブ２０と凹部１６、１７とがはまり合うことに加えて、タブ２０の係合穴２１と凹部１６、１７の突起１６ａ、１７ａもはまり合うため、連結強度が大きく、意図せずして連結が解除することが防止されている。
特に、ほぼ鉛直方向を向く測定対象面Ｓの勾配を測定する場合には、前後方向を向く水準器１と左右方向を向く水準器１は宙に浮いた状態となり、重力の作用により、これらの水準器１に他の水準器１との連結箇所を中心に傾斜しようとする力が負荷される。通常であれば、連結が解除されやすくなるところ、実施形態の水準器１の場合、傾斜しようとする力の負荷により、タブ２０の係合穴２１の孔の内周に凹部１６、１７の突起１６ａ、１７ａの外周が強く押し付けられることになるため、疑似的な締まり嵌め状態となって、連結強度が一層高くなる。
【００３６】
今回開示された実施形態はすべての点で例示であって制限的なものではない。本発明の範囲は特許請求の範囲によって示され、特許請求の範囲内およびこれと均等の意味でのすべての修正と変形を含む。
【００３７】
実施形態では、水準器１の測定表示部として気泡管３０を例示したが、測定表示部はこれに限定されず、たとえば特許文献１のような指針を用いたものでもよいし、デジタル表示されるものでもよい。
また、測定表示部として気泡管３０を用いた水準器と、指針を用いた水準器に、それぞれ凹部１６、１７やタブ２０を設けて両者を連結することも可能である。
【００３８】
タブ２０や凹部１６、１７の形状は、補完形状である限りにおいて実施形態のものに限定されず、たとえばタブ２０を先細りの形状としてもよい。
係合穴２１や突起１６ａ、１７ａの形状や数についても実施形態に限定されず、たとえば角柱形、非貫通の半球形でもよく、並列する突起間で形状を違えてもよい。係合穴２１や突起１６ａ、１７ａを省略することもできる。切欠き部２２も省略可能である。
タブ２０の形成位置、第１の凹部１６のケーシングの端面１３上における形成位置、および第２の凹部１７のケーシング１０の底面１１上における形成位置も、水準器同士の連結や測定表示部の視認に支障がない限りにおいて、実施形態のものに限定されない。
【００３９】
ケーシング１０の形状も、実施形態に限定されず、平面視で、多角形、円形、楕円形などでもよく、天面をドーム状にしたり、凹状にしたりしてもよい。ケーシング１０の底面１１の溝１１ａは省略可能である。
ケーシング１０には、第１の凹部１６、第２の凹部１７以外の凹部が形成されていてもよいし、タブ２０以外のタブが設けられていてもよい。たとえば、両端面１３に凹部を設けたり、底面１１に凹部を複数設けたり、側面１２や天面１４にも凹部を設けたりしてもよい。
実施形態では、ケーシング１０に磁石を内蔵させているが、磁石を省略することも可能である。
【符号の説明】
【００４０】
１  実施形態の水準器
１０  ケーシング
１１  底面
１１ａ  溝
１２  側面
１２ａ  開口
１３  端面
１４  天面
１４ａ  開口
１５  窓
１６  第１の凹部
１６ａ  突起
１７  第２の凹部
１７ａ  突起
２０  タブ
２１  係合穴
２２  切欠き部
３０  気泡管
３１  管体
３１ａ  標線
３２  液体
３３  気泡
Ｓ  測定対象面
【図１】
2018205266.tif 000003
【図２】
2018205266.tif 000004
【図３】
2018205266.tif 000005
【図４】
2018205266.tif 000006